(57)【要約】      （修正有）【課題】既設のトイレットペーパーホルダーにワンタッチで取り付けて高齢者や、子供でも確実に紙端を掴めるホルダー用具を提供する。【解決手段】既設置のトイレットペーパーホルダー１０の紙を切る蓋板２０の先端部２１の裏面に、ホルダー用具の固着部９０を固着して設けて、蓋板２０と、トイレットペーパー３０との間隔を広げる蓋持ち上げ壁９１、９２を傾斜したロール紙導入部８０の両側に設けて、ロール紙導入部８０の先端に、ロール紙切部７９を設けて、ロール紙導入部の入り口の裏に沿って滑るように円形の滑り６０を設ける。トイレットペーパーホルダー１０に装着されたトイレットペーパー３０の外周の一枚をロール紙導入部の入り口、ロール紙導入部８０、ロール紙切部７９を通過させる。【選択図】図３
0003164307.tif 000002
【実用新案登録請求の範囲】
【請求項１】
本考案は、既存の設置されているトイレットペーパーホルダーにワンタッチで取り付けられて、高齢者や、子供でも確実に紙端を掴めるホルダー用具であって、当該確実に紙端を掴めるホルダー用具（１００）は、既存の設置されているトイレットペーパーホルダー（１０）の紙を切る蓋板（２０）の先端部（２１）の裏面に確実に紙端を掴めるホルダー用具（１００）の固着部（９０）の固着面を出して固着面を固着して設けて、固着部（９０）の固着は螺子止め、あるいは吸盤であってもよいこと、確実に紙端を掴めるホルダー用具（１００）は、既存の設置されているトイレットペーパーホルダー（１０）の蓋板（２０）の横幅の寸法と同寸法に設けて、蓋板（２０）と、トイレットペーパー（３０）との間隔を広げる蓋持ち上げ壁（９１、９２）を傾斜したロール紙導入部（８０）の両側に設けて、ロール紙導入部（８０）の先端に、ロール紙切部（７９）を設けて、ロール紙導入部の入り口（７８）の裏に沿って滑るように円形の滑り（６０）を設けて、円形の滑り（６０）は、ベアリングを使用した転がり軸受けを用いてもよいこと、確実に紙端を掴めるホルダー用具（１００）は、トイレットペーパーホルダー（１０）に装着されたトイレットペーパー（３０）の外周の一枚をロール紙導入部の入り口（７８）を通過させてロール紙導入部（８０）を通過させて、ロール紙切部（７９）を通過させて設ける構成であることを特徴とする確実に紙端を掴めるホルダー用具。
【請求項２】
上記記載の確実に紙端を掴めるホルダー用具であって、当該確実に紙端を掴めるホルダー用具（１００）は、アルミニュウム、ペットボトルプラスチック、アクリル等を成形加工した構成であることを特徴とする請求項１記載の確実に紙端を掴めるホルダー用具。
【考案の詳細な説明】
【技術分野】
【０００１】    本考案は、既存の設置されているトイレットペーパーホルダーにワンタッチで取り付ければ確実に紙端を掴めるトイレットペーパーホルダーとなるホルダー用具の構造に関する。
【背景技術】
【０００２】  巻紙の紙端を掴むため、蓋板を持ち上げたり巻紙を回転させることなく、簡単に且つ確実に紙端を掴めるようにする。
側板３の支持板側上端に基端部が回転自在に支持され、先端に紙切り部５Ｃを有する蓋板５と、この蓋板の先端部側に配置されると共に、一側が回動可能に支持され、バネ部材により他側が下方向に回動して所定角度開くように付勢された補助フラップ６と、側板に対し回動可能に支持されるとともに、上方向に向けて先細形状で、上下方向に延出したガイド部９ａを有する少なくとも一つのレバー９と、前記レバーに固定され、可撓性を有しかつ先端が縮径して巻紙の紙管を保持可能な紙管ホルダーと、前記蓋板の側板に設けられ、前記レバーのガイド部に係合しかつガイド部内を移動可能な係合部５ｄとを備えてなる紙ホルダー１とした（例えば、特許文献１）。【０００３】  既存ホルダーへの機能付加備品としてロールペーパーの引き出し時に、常に一定の安定した負荷を与え更に任意操作によってその制御を可能としたロールペーパー負荷制御装置の提供。
既存ペーパーホルダーへ半径可動に接続された支持アームＡの先端部に、天秤可動自在に連結された波型天秤プレートに、磁力を有する素材構成からなる押さえローラーＢとが回転自在に連結され、その間に引き出すペーパーＥを挟持介在させ磁力による圧接条件を常に維持し挟持ペーパーへの負荷を与えつつ、ペーパー引き下げ時に生じる波型天秤プレートの天秤作用によって、波型天秤プレートの一方が天秤形状の梃子作用でその押さえローラーＢを下から押し上げ、挟持されたペーパーへの更なる押圧を加えることになり、片手での任意操作によるペーパー引き出し時の負荷制御が可能となり、ミシン目活用のペーパー切断とその補助機能が発揮される（例えば、特許文献２）。
【先行技術文献】
【特許文献】
【０００４】
【特許文献１】  特開平１１−３１３７７９号  公報
【特許文献２】  特許第４２３４７７４号  公報
【考案の概要】
【考案が解決しようとする課題】
【０００５】  特許文献１は、紙ホルダー１によると。巻紙使用後は、常に蓋板は上方向に回動し、蓋板の紙切り部と巻紙のロールとの間に隙間があるここと、ロ−ルが前方に回動して紙端がつまみやすい位置にあるので、次に巻紙を使用する時には、従来のように蓋板を持ち上げ、かつ巻紙のロールを回転させて紙端をつまみやすくする必要がなく、簡単でかつ確実に紙端をつかみだすことができ、極めて簡便であるとされている。設置されている既存ペーパーホルダーを改善するのではなく製品を提供される仕組みである。ロール紙を切ると紙切り部５Ｃに沿って切られるので従来製品と異なるのは、蓋板は上方向に回動し、蓋板の紙切り部と巻紙のロールとの間に隙間があることになっているが従来品も隙間のある装置は存在している。紙ホルダー１のロール紙の切り端は隙間が存在しても切れ端の状態は従来品と変わらない状態で切断されること、当該装置は既存設置されている紙ホルダーへ機能を追加する構造ではない。
使用時において、次に巻紙を使用する時には、ロール紙の切り端は、ここにあると高齢者や、子供にも見える切り離しの状態にしておきたいものである。【０００６】  特許文献２では、既存設備への機能付荷となる装着備品であって、ミシン目加工に従ってロールパーパーを切断することに重点が置かれている。
既存ペーパーホルダーへ半径可動に接続された支持アームＡの先端部に、天秤可動自在に連結された波型天秤プレートに、磁力を有する素材構成からなる押さえローラーＢとが回転自在に連結されている。その間に引き出すペーパーＥを挟持介在させるとあるが、高齢者や、子供でなくてもペーパーＥを挟持介在させるため成人の素人が苦労することになる。既存ペーパーホルダーへ半径可動に接続された支持アームＡの取り付け構造は半径可動に取り付ければよいとされているが取り付けは成人の素人では大変厄介な課題となる。
使用時において、次に巻紙を使用する時には、押さえローラーＢに少しロール紙の切り端は見えるので成人は摘んで引張って見ると動くので使用されるであろうが、高齢者や、子供は理解できなく、この状態では使用できない。高齢者や、子供にも見える理解できる状態で切り離しておきたい。
使用時において、次に巻紙を使用する時には、ロール紙の切り端は、ここにあると高齢者や、子供にも見える切り離しの状態にしておきたいものである。手間を掛けずにワンタッチで既存の設置されているペーパーホルダーに追加して機能を高めて、使用するとき操作を考えることなく使用したい。
【課題を解決するための手段】
【０００６】  本考案は、既存の設置されているトイレットペーパーホルダーにワンタッチで取り付けられて、高齢者や、子供でも確実に紙端を掴めるホルダー用具であって、当該確実に紙端を掴めるホルダー用具１００は、既存の設置されているトイレットペーパーホルダー１０の紙を切る蓋板２０の先端部２１の裏面に確実に紙端を掴めるホルダー用具１００の固着部９０の固着面を出して固着面を固着して設ける。固着部９０の固着は螺子止め、あるいは吸盤であってもよい。確実に紙端を掴めるホルダー用具１００は、既存の設置されているトイレットペーパーホルダー１０の蓋板２０の横幅の寸法と同寸法に設けてある。蓋板２０とトイレットペーパー３０との間隔を広げる蓋持ち上げ壁９１、９２を傾斜したロール紙導入部８０の両側に設けた。ロール紙導入部８０の先端に、ロール紙切部７９を設けた。ロール紙導入部の入り口７８の裏に沿って滑るように円形の滑り６０を設けてある。円形の滑り６０は、ベアリングを使用した転がり軸受けを用いてもよい。確実に紙端を掴めるホルダー用具１００は、トイレットペーパーホルダー１０に装着されたトイレットペーパー３０の外周の一枚をロール紙導入部の入り口７８を通過させてロール紙導入部８０を通過させて、ロール紙切部７９を通過させて設ける構成の確実に紙端を掴めるホルダー用具である。【０００７】  また、第２の解決手段は、請求項１記載の既存の設置されているトイレットペーパーホルダーにワンタッチで取り付けられて、高齢者や、子供でも確実に紙端を掴めるホルダー用具であって、当該確実に紙端を掴めるホルダー用具１００は、アルミニュウム、ペットボトルプラスチック、アクリル等を成形加工した構成の確実に紙端を掴めるホルダー用具である。
【考案の効果】
【０００８】  本考案は、既存の設置されているトイレットペーパーホルダーにワンタッチで取り付けられて、高齢者や、子供でも確実に紙端を掴めるホルダー用具であって、当該確実に紙端を掴めるホルダー用具１００は、既存の設置されているトイレットペーパーホルダー１０の紙を切る蓋板２０の先端部２１の裏面に確実に紙端を掴めるホルダー用具１００の固着部９０の固着面を出して固着面を固着して設ける。固着部９０の固着は螺子止め、あるいは吸盤であってもよい。確実に紙端を掴めるホルダー用具１００は、既存の設置されているトイレットペーパーホルダー１０の蓋板２０の横幅の寸法と同寸法に設けてある。蓋板２０とトイレットペーパー３０との間隔を広げる蓋持ち上げ壁９１、９２を傾斜したロール紙導入部８０の両側に設けた。ロール紙導入部８０の先端に、ロール紙切部７９を設けた。ロール紙導入部の入り口７８の裏に沿って滑るように円形の滑り６０を設けてある。円形の滑り６０は、ベアリングを使用した転がり軸受けを用いてもよい。確実に紙端を掴めるホルダー用具１００は、トイレットペーパーホルダー１０に装着されたトイレットペーパー３０の外周の一枚をロール紙導入部の入り口７８を通過させてロール紙導入部８０を通過させて、ロール紙切部７９を通過させて設ける構成の確実に紙端を掴めるホルダー用具であるので、ロール紙導入部の入り口７８は、ロール紙導入部８０と装着してあるトイレットペーパー３０とが接触して摩擦する箇所で当該摩擦が軽いことが操作性を左右する重要な鍵となるので、操作性を向上させるロール紙導入部の入り口７８の裏に沿って滑るように円形の滑り６０を設けてある。円形の滑り６０は、ベアリングを使用した転がり軸受けを用いてもよい。使用時において、次に巻紙を使用する時には、ロール紙の切り端は、ここにあると高齢者や、子供にも見える切り離しの状態になるようにしてある。手間を掛けずに既存のペーパーホルダーの機能を高めて、使用するとき操作を考えることなく使用できる優れものである。【０００９】  また、第２の解決手段は、請求項１記載の既存の設置されているトイレットペーパーホルダーにワンタッチで取り付けられて、高齢者や、子供でも確実に紙端を掴めるホルダー用具であって、当該確実に紙端を掴めるホルダー用具１００は、アルミニュウム、ペットボトルプラスチック、アクリル等を成形加工した構成の確実に紙端を掴めるホルダー用具であるので、軽くて丈夫で安価な素材を成形加工してあり、取り付けに際して、成人の素人が迷うことなく既存の設置されているトイレットペーパーホルダーにワンタッチで取り付けることができる。
【図面の簡単な説明】
【００１０】
【図１】本考案の確実に紙端を掴めるホルダー用具を既存の設置されているトイレットペーパーホルダーに取り付けた側面図を示した図である。
【図２】本考案の確実に紙端を掴めるホルダー用具の一部を切り欠いだ斜視図を示した図である。
【図３】図２を既存の設置されているトイレットペーパーホルダーに取り付けた斜視図を示した図である。
【図４】図３の蓋板の一部を切り欠き確実に紙端を掴めるホルダー用具の斜視図を示した図である。
【考案を実施するための形態】
【００１１】  以下、本考案の実施の形態を図１〜図６に基づいて説明する。
【実施例】
【００１２】  図１は、本考案の確実に紙端を掴めるホルダー用具を既存の設置されているトイレットペーパーホルダーに取り付けた側面図を示した図である。
本考案は、既存の設置されているトイレットペーパーホルダー１０にワンタッチで取り付けられて、高齢者や、子供でも確実に紙端を掴めるホルダー用具であって、当該確実に紙端を掴めるホルダー用具１００は、既存の設置されているトイレットペーパーホルダー１０の紙を切る蓋板２０の先端部２１の裏面に確実に紙端を掴めるホルダー用具１００の固着部９０の固着面を出して固着面を固着して設ける。固着部９０の固着は螺子止め、あるいは吸盤であってもよい。確実に紙端を掴めるホルダー用具１００は、既存の設置されているトイレットペーパーホルダー１０の蓋板２０の横幅の寸法と同寸法に設けてある。蓋板２０とトイレットペーパー３０との間隔を広げる蓋持ち上げ壁９１、９２を傾斜したロール紙導入部８０の両側に設けた。ロール紙導入部８０の先端に、ロール紙切部７９を設けた。ロール紙導入部の入り口７８の裏に沿って滑るように円形の滑り６０を設けてある。  円形の滑り６０は、ベアリングを使用した転がり軸受けを用いてもよい。確実に紙端を掴めるホルダー用具１００は、トイレットペーパーホルダー１０に装着されたトイレットペーパー３０の外周の一枚をロール紙導入部の入り口７８を通過させてロール紙導入部８０を通過させて、ロール紙切部７９を通過させて設ける構成の確実に紙端を掴めるホルダー用具である。【００１３】  確実に紙端を掴めるホルダー用具１００は、ロール紙導入部の入り口７８の裏に沿ってトイレットペーパーホルダー１０に装着されたトイレットペーパー３０が滑るように円形の滑り６０を設けてある。円形の滑り６０は、ベアリングを使用した転がり軸受けを用いてもよい。当該円形の滑り６０は、すべりの良いほど紙を切るとき操作性に抵抗感がない。【００１４】  確実に紙端を掴めるホルダー用具１００は、アルミニュウム、ペットボトルプラスチック、アクリル等の軽くて丈夫で安価な素材を成形加工してある。【００１５】  トイレットペーパーホルダー１０に装着されたトイレットペーパー３０の外周の一枚をロール紙導入部の入り口７８を通過させてロール紙導入部８０を通過させて、ロール紙切部７９を通過させて設けてある。
トイレットペーパー３０の外周の一枚はロール紙切部７９を通過させて設けてあること、蓋板２０とトイレットペーパー３０との間隔を広げる蓋持ち上げ壁９１、９２を傾斜したロール紙導入部８０の両側に設けてあることで、先に使用された紙端は高齢者や、子供でも確実に紙端を確認できるので容易に紙端を掴める。使用の際は紙端を下に引くことでロール紙切部７９に接触して紙は切れる。切れた紙端は蓋板２０とロール紙切部７９の間にぶら下がっている。次に使用する高齢者や、子供は、確実に紙端を確認できる。【００１６】  図２は、本考案の確実に紙端を掴めるホルダー用具の一部を切り欠いだ斜視図を示した図である。
本考案は、既存の設置されているトイレットペーパーホルダー１０にワンタッチで取り付けられて、高齢者や、子供でも確実に紙端を掴めるホルダー用具１００である。
既存の設置されているトイレットペーパーホルダー１０の紙を切る蓋板２０の先端部２１の裏面に確実に紙端を掴めるホルダー用具１００の固着部９０の固着面を出して固着面を固着して設ける。固着部９０の固着は螺子止め、あるいは吸盤であってもよい。確実に紙端を掴めるホルダー用具１００は、既存の設置されているトイレットペーパーホルダー１０の蓋板２０の横幅の寸法と同寸法に設けてある。蓋板２０とトイレットペーパー３０との間隔を広げる蓋持ち上げ壁９１、９２を傾斜したロール紙導入部８０の両側に設けた。
ロール紙導入部８０の先端に、ロール紙切部７９を設けた。ロール紙導入部の入り口７８の裏に沿って滑るように円形の滑り６０を設けてある。  円形の滑り６０は、ベアリングを使用した転がり軸受けを用いてもよい。
ロール紙切部７９の横の寸法は、蓋板２０と同寸であってもよい。【００１７】  図３は、図２を既存の設置されているトイレットペーパーホルダーに取り付けた斜視図を示した図である。
図２を既存の設置されているトイレットペーパーホルダー１０にワンタッチで取り付けた斜視図を示した図である。
既存の設置されているトイレットペーパーホルダー１０の紙を切る蓋板２０の先端部２１の裏面に確実に紙端を掴めるホルダー用具１００の固着部９０の固着面を出して固着面を固着して設ける。固着部９０は両面接着テープを使用してもよい。
固着部９０の固着は、螺子止め、あるいは吸盤であってもよい。
確実に紙端を掴めるホルダー用具１００は、既存の設置されているトイレットペーパーホルダー１０の蓋板２０の横幅の寸法と同寸法に設けてある。蓋板２０とトイレットペーパー３０との間隔を広げる蓋持ち上げ壁９１、９２を傾斜したロール紙導入部８０の両側に設けた。  ロール紙導入部８０の先端に、ロール紙切部７９を設けた。ロール紙導入部の入り口７８の裏に沿って滑るように円形の滑り６０を設けてある。  円形の滑り６０は、ベアリングを使用した転がり軸受けを用いてもよい。ロール紙切部７９の横の寸法は、蓋板２０と同寸であってもよい。
トイレットペーパー３０の外周の一枚はロール紙切部７９を通過させて設けてあること、蓋板２０とトイレットペーパー３０との間隔を広げる蓋持ち上げ壁９１、９２を傾斜したロール紙導入部８０の両側に設けてあることで、先に使用された紙端は高齢者や、子供でも確実に紙端を確認できるので容易に紙端を掴める。使用の際は紙端を下に引くことでロール紙切部７９に接触して紙は切れる。切れた紙端は蓋板２０とロール紙切部７９の間にぶら下がっている。次に使用する高齢者や、子供は、確実に紙端を確認できる。【００１８】  図４は、図３の蓋板の一部を切り欠き確実に紙端を掴めるホルダー用具の斜視図を示した図である。
図３の蓋板２０の一部を切り欠き確実に紙端を掴めるホルダー用具１００の斜視図を示した図である。
確実に紙端を掴めるホルダー用具１００を既存の設置されているトイレットペーパーホルダー１０にワンタッチで取り付けた斜視図であって、蓋板２０の一部を切り欠き確実に紙端を掴めるホルダー用具１００の斜視図を示した。ロール紙切部７９のロール紙を切る横の寸法は、蓋板２０と同寸であってもよい。
【産業上の利用可能性】
【００１９】  確実に紙端を掴めるホルダー用具は、トイレットペーパーホルダーを製造し販売する業界で扱われ、確実に紙端を掴めるホルダー用具は、家庭と、学校、介護センター、病院、オフイス、列車、船舶、航空機等広く一般的に利用される。
【符号の説明】
【００２０】      １０  トイレットペーパーホルダー
２０  蓋板
２１  先端部
３０  トイレットペーパー
６０  円形の滑り
７８  ロール紙導入部の入り口
７９  ロール紙切部
８０  ロール紙導入部
９１、９２  蓋持ち上げ壁
９０  固着部
１００  確実に紙端を掴めるホルダー用具
【図１】
0003164307.tif 000003
【図２】
0003164307.tif 000004
【図３】
0003164307.tif 000005
【図４】
0003164307.tif 000006
【手続補正書】
【提出日】平成22年9月6日(2010.9.6)
【手続補正１】
【補正対象書類名】実用新案登録請求の範囲
【補正対象項目名】請求項１
【補正方法】変更
【補正の内容】
【請求項１】
既存の設置されているトイレットペーパーホルダーにワンタッチで取り付けられて、高齢者や、子供でも確実に紙端を掴めるホルダー用具であって、当該確実に紙端を掴めるホルダー用具（１００）は、既存の設置されているトイレットペーパーホルダー（１０）の紙を切る蓋板（２０）の先端部（２１）の裏面に確実に紙端を掴めるホルダー用具（１００）の固着部（９０）の固着面を出して固着面を螺子止め、あるいは吸盤で固着して設けて、確実に紙端を掴めるホルダー用具（１００）は、既存の設置されているトイレットペーパーホルダー（１０）の蓋板（２０）の横幅の寸法と同寸法に設けて、ロール紙導入部の入り口（７８）の裏に沿って円形の滑り（６０）、あるいはベアリングを使用した転がり軸受けを設けたロール紙導入部の入り口（７８）は、先端に、ロール紙切部（７９）を設けたロール紙導入部（８０）と、傾斜したロール紙導入部（８０）の両側に蓋板（２０）と、トイレットペーパー（３０）との間隔を広げるため設けた蓋持ち上げ壁（９１、９２）と、蓋板（２０）によって囲まれる部分であり、確実に紙端を掴めるホルダー用具（１００）は、トイレットペーパーホルダー（１０）に装着されたトイレットペーパー（３０）の外周の一枚をロール紙導入部の入り口（７８）を通過させてロール紙導入部（８０）を通過させて、ロール紙切部（７９）を通過させて設ける構成であることを特徴とする確実に紙端を掴めるホルダー用具。
【手続補正２】
【補正対象書類名】明細書
【補正対象項目名】０００６
【補正方法】変更
【補正の内容】
【０００６】  本考案は、既存の設置されているトイレットペーパーホルダーにワンタッチで取り付けられて、高齢者や、子供でも確実に紙端を掴めるホルダー用具であって、当該確実に紙端を掴めるホルダー用具１００は、既存の設置されているトイレットペーパーホルダー１０の紙を切る蓋板２０の先端部２１の裏面に確実に紙端を掴めるホルダー用具１００の固着部９０の固着面を出して固着面を螺子止め、あるいは吸盤で固着して設けた。確実に紙端を掴めるホルダー用具１００は、既存の設置されているトイレットペーパーホルダー１０の蓋板２０の横幅の寸法と同寸法に設けた。ロール紙導入部の入り口７８の裏に沿って円形の滑り６０、あるいはベアリングを使用した転がり軸受けを設けたロール紙導入部の入り口７８は、先端に、ロール紙切部７９を設けたロール紙導入部８０と、傾斜したロール紙導入部８０の両側に蓋板２０と、トイレットペーパー３０との間隔を広げるため設けた蓋持ち上げ壁９１、９２と、蓋板２０によって囲まれる部分である。  確実に紙端を掴めるホルダー用具１００は、トイレットペーパーホルダー１０に装着されたトイレットペーパー３０の外周の一枚をロール紙導入部の入り口７８を通過させてロール紙導入部８０を通過させて、ロール紙切部７９を通過させて設ける構成の確実に紙端を掴めるホルダー用具である。
【手続補正３】
【補正対象書類名】明細書
【補正対象項目名】０００８
【補正方法】変更
【補正の内容】
【０００８】  本考案は、既存の設置されているトイレットペーパーホルダーにワンタッチで取り付けられて、高齢者や、子供でも確実に紙端を掴めるホルダー用具であって、当該確実に紙端を掴めるホルダー用具１００は、既存の設置されているトイレットペーパーホルダー１０の紙を切る蓋板２０の先端部２１の裏面に確実に紙端を掴めるホルダー用具１００の固着部９０の固着面を出して固着面を螺子止め、あるいは吸盤で固着して設けた。確実に紙端を掴めるホルダー用具１００は、既存の設置されているトイレットペーパーホルダー１０の蓋板２０の横幅の寸法と同寸法に設けた。ロール紙導入部の入り口７８の裏に沿って円形の滑り６０、あるいはベアリングを使用した転がり軸受けを設けたロール紙導入部の入り口７８は、先端に、ロール紙切部７９を設けたロール紙導入部８０と、傾斜したロール紙導入部８０の両側に蓋板２０と、トイレットペーパー３０との間隔を広げるため設けた蓋持ち上げ壁９１、９２と、蓋板２０によって囲まれる部分である。  確実に紙端を掴めるホルダー用具１００は、トイレットペーパーホルダー１０に装着されたトイレットペーパー３０の外周の一枚をロール紙導入部の入り口７８を通過させてロール紙導入部８０を通過させて、ロール紙切部７９を通過させて設ける構成の確実に紙端を掴めるホルダー用具であるので、ロール紙導入部の入り口７８は、ロール紙導入部８０と装着してあるトイレットペーパー３０とが接触して摩擦する箇所で当該摩擦が軽いことが操作性を左右する重要な鍵となるので、操作性を向上させるロール紙導入部の入り口７８の裏に沿って滑るように円形の滑り６０を設けてある。円形の滑り６０は、ベアリングを使用した転がり軸受けを用いてもよい。使用時において、次に巻紙を使用する時には、ロール紙の切り端は、ここにあると高齢者や、子供にも見える切り離しの状態になるようにしてある。手間を掛けずに既存のペーパーホルダーの機能を高めて、使用するとき操作を考えることなく使用できる優れものである。
【手続補正４】
【補正対象書類名】明細書
【補正対象項目名】００１２
【補正方法】変更
【補正の内容】
【００１２】  図１は、本考案の確実に紙端を掴めるホルダー用具を既存の設置されているトイレットペーパーホルダーに取り付けた側面図を示した図である。本考案は、既存の設置されているトイレットペーパーホルダー１０にワンタッチで取り付けられて、高齢者や、子供でも確実に紙端を掴めるホルダー用具であって、当該確実に紙端を掴めるホルダー用具１００は、既存の設置されているトイレットペーパーホルダー１０の紙を切る蓋板２０の先端部２１の裏面に確実に紙端を掴めるホルダー用具１００の固着部９０の固着面を出して固着面を固着して設ける。固着部９０の固着は螺子止め、あるいは吸盤で固着して設けた。確実に紙端を掴めるホルダー用具１００は、既存の設置されているトイレットペーパーホルダー１０の蓋板２０の横幅の寸法と同寸法に設けた。ロール紙導入部の入り口７８は、ロール紙導入部８０と、蓋持ち上げ壁９１、９２と、蓋板２０によって囲まれる部分である。  蓋板２０とトイレットペーパー３０との間隔を広げる蓋持ち上げ壁９１、９２を傾斜したロール紙導入部８０の両側に設けた。ロール紙導入部８０の先端に、ロール紙切部７９を設けた。ロール紙導入部の入り口７８の裏に沿って円形の滑り６０を設けた。円形の滑り６０は、ベアリングを使用した転がり軸受けを用いて固着して設けてもよい。  確実に紙端を掴めるホルダー用具１００は、トイレットペーパーホルダー１０に装着されたトイレットペーパー３０の外周の一枚をロール紙導入部の入り口７８を通過させてロール紙導入部８０を通過させて、ロール紙切部７９を通過させて設ける構成の確実に紙端を掴めるホルダー用具である。